(57)【要約】【課題】動物の姿を完成させるための表現方法のバリエーションを増加させるとともに、コンパクトにまとめることができ収納スペースも小さくすることができる玩具を提供する。【解決手段】単一の第１胴体部１６が曲げられ、スライドファスナ２４によりその曲げ状態が維持されることにより、動物の身体の一部を容易に形づくることができる。また、第１胴体部１６、四肢部４０などがスナップボタン４２などにより接続されてその接続状態が維持されることにより、動物の身体の各部位を形成することができる。【選択図】      図１
2007135798.tif 000002
【特許請求の範囲】
【請求項１】
動物の身体の一部を構成するとともに、身体の各部位ごとにも複数種類設けられた曲げ変形可能な複数の布状部材と、
単一の前記布状部材が曲げられている曲げ状態を維持し又は前記曲げ状態を解除する固定部材と、
複数の前記布状部材が接続されている接続状態を維持し又は前記接続状態を解除する連結部材と、
を含んで構成されたことを特徴とする玩具。
【請求項２】
単一の前記布状部材により動物の身体の一部が完成されるとともに、複数の前記布状部材が前記連結部材により相互に接続されることにより動物の身体の一部が完成されることを特徴とする請求項１に記載の玩具。
【請求項３】
前記布状部材は、保持部材により布状のベース部材に着脱可能に取り付けられていることを特徴とする請求項１又は２に記載の玩具。
【請求項４】
前記保持部材は、前記固定部材又は前記連結部材の機能も兼備していることを特徴とする請求項１乃至３のいずれか１項に記載の玩具。
【請求項５】
複数の前記布状部材の色がそれぞれ異なることを特徴とする請求項１乃至４のいずれか１項に記載の玩具。
【発明の詳細な説明】
【技術分野】
【０００１】
本発明は、単一の布状物を曲げて固定し、あるいは複数の布状物同士を接続して任意の動物の姿を完成させる玩具に関する。
【背景技術】
【０００２】
従来から一枚の布状物を適宜曲げてその状態を固定維持し、任意の動物の姿に似せる玩具が知られている。この玩具によれば、布状物の所定の部位を曲げてスナップボタンなどで固定することにより、動物の脚や顔などを形成することができる（従来技術１）。
【０００３】
また、任意の動物の身体の各部位がそれぞれ分離され、かつ各部位のいずれかに布状の部材や立体的形状の部材が含まれており、各部位同士を接続することにより任意の動物の姿を完成させる玩具も知られている（従来技術２）。
【特許文献１】特開２００５−１３７８１８号公報
【発明の開示】
【発明が解決しようとする課題】
【０００４】
ところで、従来技術１の玩具では、一枚の布状物を適宜曲げて動物の姿を形づくるため、その表現方法に限界が生じてしまう。この結果、斬新なデザインの動物を形づくることができなくなるおそれがあり、遊戯性が低下する問題がある。
【０００５】
また、従来技術２の玩具では、各部位同士を適宜接続することにより動物の姿を完成させるため、各部位同士の接続パターンによって表現方法のバリエーションは増加するが、各部位に平面状の部材や立体的形状の部材が含まれているため、非遊戯時において、玩具をコンパクトに収納することができなくなる。この結果、玩具を収納するために、大きなスペースも必要となる問題も生じる。さらに、平面状の部材や立体状の部材を相互に接続させて収納させることが困難となるため、各部位の一部を紛失してしまうことも考えられる。
【０００６】
そこで、本発明は、上記事情を考慮し、動物の姿を完成させるための表現方法のバリエーションを増加させるとともに、コンパクトにまとめることができ収納スペースも小さくすることができる玩具を提供することを目的とする。
【課題を解決するための手段】
【０００７】
請求項１に記載の発明は、動物の身体の一部を構成するとともに、身体の各部位ごとにも複数種類設けられた曲げ変形可能な複数の布状部材と、単一の前記布状部材が曲げられている曲げ状態を維持し又は前記曲げ状態を解除する固定部材と、複数の前記布状部材が接続されている接続状態を維持し又は前記接続状態を解除する連結部材と、を含んで構成されたことを特徴とする。
【０００８】
請求項１に記載の発明によれば、単一の布状部材が曲げられ、固定部材によりその曲げ状態が維持されることにより、動物の身体の一部を容易に形づくることができる。また、複数の布状部材同士が連結部材により接続されてその接続状態が維持されることにより、動物の身体の各部位を形成することができる。また、身体の各部位ごとにも布状部材が複数種類設けられているため、任意の布状部材を選択することにより動物の姿のバリエーションを増やすことができる。このように、単一の布状部材を曲げたり、あるいは複数の布状部材同士を接続させたりすることにより、動物の姿を完成させるための表現方法のバリエーションを増加させることができる。この結果、玩具の遊戯性を格段に向上させることができる。
【０００９】
請求項２に記載の発明は、請求項１に記載の玩具において、単一の前記布状部材により動物の身体の一部が完成されるとともに、複数の前記布状部材が前記連結部材により相互に接続されることにより動物の身体の一部が完成されることを特徴とする。
【００１０】
請求項２に記載の発明によれば、単一の布状部材により動物の身体の一部が完成されるとともに、複数の布状部材が連結部材により相互に接続されることにより動物の身体の一部が完成されることにより、動物の姿を完成させるための表現方法のバリエーションを容易に増加させることができる。
【００１１】
請求項３に記載の発明は、請求項１又は２に記載の玩具において、前記布状部材は、保持部材により布状のベース部材に着脱可能に取り付けられていることを特徴とする。
【００１２】
請求項３に記載の発明によれば、布状部材の不使用時（非遊戯時）に、布状部材を保持部材により布状のベース部材に取り付けることにより、布状部材を紛失してしまうことを防止できる。
【００１３】
請求項４に記載の発明は、請求項１乃至３のいずれか１項に記載の玩具において、前記保持部材は、前記固定部材又は前記連結部材の機能も兼備していることを特徴とする。
【００１４】
請求項４に記載の発明によれば、保持部材が固定部材又は連結部材の機能も兼備していることにより、保持部材を固定部材又は連結部材としてそのまま用いることができる。これにより、保持部材を他の用途にも有効に利用することができ、玩具の部品点数を削減することができる。
【００１５】
請求項５に記載の発明は、請求項１乃至４のいずれか１項に記載の玩具において、複数の前記布状部材の色がそれぞれ異なることを特徴とする。
【００１６】
請求項５に記載の発明によれば、複数の布状部材の色がそれぞれ異なることにより、色のバリエーションを増やすことができるため、遊戯性を大幅に向上させることができる。
【００１７】
また、請求項１乃至５のいずれか１項に記載の玩具において、前記布状部材又は前記ベース部材の少なくとも一方は、フェルトで構成されていることを特徴とする。
【００１８】
この発明によれば、布状部材がフェルトで構成されていることにより、容易に曲げることができる。これにより、布状部材を自在に所定の形状となるように曲げることができ、また、フェルトで構成されていることにより質感や手で触れた感触も向上する。さらに、布状部材の製造コストを低減させることができる。また、布状部材及びベース部材の双方をフェルトで構成することにより、ベース部材に布状部材が取り付けられた状態でコンパクトに折り畳んだり、丸めたりすることができるため、玩具の収納スペースを小さくすることができる。
【発明の効果】
【００１９】
本発明によれば、動物の姿を完成させるための表現方法のバリエーションを増加させるとともに、コンパクトにまとめることができ収納スペースも小さくすることができる。
【発明を実施するための最良の形態】
【００２０】
次に、本発明の一実施形態に係る玩具について、図面を参照して説明する。
なお、以下の説明では、後述の第１胴体部１６、第２胴体部２８、頭部３４、四肢部４０を「各部位」と総称する。
【００２１】
図１乃至図５に示すように、玩具１０は、ベース部材となるベース側フェルト１２（図２のみ図示）を備えている。このベース側フェルト１２は、略正方形状に形成されており、容易に曲げることができるようになっている。
【００２２】
また、ベース側フェルト１２の上面には、幅方向にわたって、動物（本実施形態では象、図３から図５参照）１４の胴体を形づくる略四角形の第１胴体部１６が取り付けられている。第１胴体部１６のベース側フェルト１２に対する取付けは、第１胴体部１６の下面に取り付けられたスナップボタン（図示省略）とベース側フェルト１２の上面に取り付けられたスナップボタン（図２参照）１８とが相互に嵌合されることにより実現される。なお、このスナップボタンは、各部位同士を接続させる手段としても用いられる。
【００２３】
この第１胴体部１６は、複数取り付けられており、相互に隣接するように配置されている。また、複数の第１胴体部１６は緑色のフェルトで構成されている。
【００２４】
各第１胴体部１６の上面には、複数のスナップボタン２０がそれぞれ取り付けられている。これにより、単一の第１胴体部１６に取り付けられているスナップボタン２０同士を相互に嵌合させることにより、第１胴体部１６を曲げた曲げ状態を維持させることができ、また、スナップボタン２０同士の嵌合を解除させることにより、第１胴体部１６の曲げ状態を解除させることができる。さらに、複数の第１胴体部１６（あるいは第１胴体部１６と他の部位）に取り付けられているスナップボタン２０同士を嵌合させることにより両者を接続させるとともにその曲げ状態を維持させることができ、また、スナップボタン２０同士の嵌合を解除させることにより相互に接続された第１胴体部１６同士（あるいは第１胴体部１６と他の部位）の曲げ状態を解除させるとともに接続されている第１胴体部１６同士（あるいは第１胴体部１６と他の部位）の接続状態を解除させることができる。
【００２５】
また、複数の第１胴体部１６のうち一部の第１胴体部１６の上面には、装飾機能及び各部位の連結機能を目的とした複数のボタン２２がそれぞれ取り付けられている。
【００２６】
また、複数の第１胴体部１６のうち一部の第１胴体部１６の端部には各第１胴体部１６同士（あるいは第１胴体部１６と他の部位）を連結するスライドファスナ２４が設けられている。これにより、スライドファスナ２４が設けられた第１胴体部１６同士（あるいは第１胴体部１６と他の部位）を容易に接続してさらに大きな胴体部を形成することができ、また、このスライドファスナ２４同士の連結を解除することにより第１胴体部１６同士（あるいは第１胴体部１６と他の部位）を容易に分離させることができる。また、単一の第１胴体部１６の両端部にスライドファスナ２４が設けられている場合には、その第１胴体部１６を曲げ、その曲げられた状態をスライドファスナ２４で固定させることができる。
【００２７】
さらに、複数の第１胴体部１６のうち一部の第１胴体部１６の端部には、各第１胴体部１６同士（るあいは第１胴体部１６との他の部位）を連結する面ファスナ２６が設けられている。これにより、例えば、面ファスナ２６が設けられた第１胴体部１６同士（あるいは第１胴体部１６と他の部位）を接続してさらに大きな胴体部を形成することができ、また、この面ファスナ２６同士（あるいは第１胴体部１６と他の部位）の連結を解除することにより第１胴体部１６同士（あるいは第１胴体部１６と他の部位）を容易に分離させることができる。
【００２８】
また、第１胴体部１６の近傍には、ベース側フェルト１２の幅方向にわたって、略四角形状の複数の第２胴体部２８がベース側フェルト１２に取り付けられている。第２胴体部２８のベース側フェルト１２に対する取付けは、第２胴体部２８の下面に取り付けられたスナップボタン（図示省略）とベース側フェルト１２の上面に取り付けられたスナップボタン（図示省略）とが相互に嵌合されることにより実現される。なお、このスナップボタンは、各部位同士を接続させる手段としても用いられる。
【００２９】
また、複数の第２胴体部２８は茶色のフェルトで構成されている。また、複数の第２胴体部２８のうち一部の第２胴体部２８の上面には、第１胴体部１６と同様に、複数のスナップボタン３０が取り付けられている。また、複数の第２胴体部２８のうち一部の第２胴体部２８の端部には、第１胴体部１６と同様に、各第２胴体部２８同士（あるいは第２胴体部２８と他の部位）を連結するスライドファスナ３２が設けられている。また、複数の第２胴体部２８の上面には、装飾機能及び各部位の連結機能を目的とした複数のボタン３１がそれぞれ取り付けられている。
【００３０】
また、第２胴体部２８の近傍には、動物（本実施形態では象）の頭や顔を形づくる頭部３４が取り付けられている。この頭部３４は、ベース側フェルト１２の上面に取り付けられたボタン３８によりベース側フェルト１２に取り付けられる。また、この頭部３４は、複数取り付けられており、相互に隣接するように配置されている。また、複数の頭部３４は白色や橙色のフェルトで構成されている。
【００３１】
また、各頭部３４の上面には、一対の目を形づくる黒色の眼部３６が設けられている。
【００３２】
また、頭部３４の近傍には、動物（本実施形態では象）の四肢（象など動物では前足と後足、人間などの霊長類では手と足）を形づくる四肢部４０が取り付けられている。四肢部４０のベース側フェルト１２に対する取付けは、四肢部４０の下面に取り付けられたスナップボタン（図示省略）とベース側フェルト１２の上面に取り付けられたスナップボタン（図示省略）とが相互に嵌合されることにより実現される。なお、このスナップボタンは、各部位同士を接続させる手段としても用いられる。この四肢部４０は、複数取り付けられており、相互に隣接するように配置されている。また、複数の四肢部４０は白色、橙色、緑色及び茶色のフェルトで構成されている。
【００３３】
また、各四肢部４０のうち一部の四肢部４０の上面には、複数のスナップボタン４２がそれぞれ取り付けられている。これにより、単一の四肢部４０に取り付けられているスナップボタン４２同士を相互に嵌合させることにより、四肢部４０を曲げた曲げ状態を維持させることができ、また、スナップボタン４２同士の嵌合を解除させることにより、四肢部４０の曲げ状態を解除させることができる。さらに、複数の四肢部４０（あるいは四肢部４０と他の部位）に取り付けられているスナップボタン４２同士を嵌合させることにより両者を接続させるとともにその曲げ状態を維持させることができ、また、スナップボタン４２同士の嵌合を解除させることにより、相互に接続された四肢部４０の曲げ状態を解除させるとともに接続されている四肢部４０同士（あるいは四肢部４０と他の部位）の接続状態を解除させることができる。
【００３４】
また、複数の四肢部４０のうち一部の四肢部４０の上面には、装飾機能及び各部位の連結機能を目的とした複数のボタン４４がそれぞれ取り付けられている。また、複数の四肢部４０のうち一部の四肢部４０の端部には各四肢部４０同士（あるいは四肢部４０と他の部位）を連結するスライドファスナ４６が設けられている。これにより、スライドファスナ４６が設けられた四肢部４０同士（あるいは四肢部４０と他の部位）を容易に接続してさらに大きな四肢部４０を形成することができ、また、このスライドファスナ４６同士の連結を解除することにより四肢部４０同士（あるいは四肢部４０と他の部位）を容易に分離させることができる。また、単一の四肢部４０の両端部にスライドファスナ４６が設けられている場合には、その四肢部４０を曲げ、その曲げられた状態をスライドファスナ４６で固定させることができる。
【００３５】
さらに、複数の四肢部４０のうち一部の四肢部４０の端部には各四肢部４０同士を連結する面ファスナ４８が設けられている。これにより、面ファスナ４８が設けられた四肢部４０同士（あるいは四肢部４０と他の部位）を容易に接続してさらに大きな四肢部４０を形成することができ、また、この面ファスナ４８同士の連結を解除することにより四肢部４０同士（あるいは四肢部４０と他の部位）を容易に分離させることができる。
【００３６】
次に、本実施形態の玩具１０の作用について説明する。
なお、以下の説明では、第１胴体部１６、第２胴体部２８、頭部３４、四肢部４０を「各部位」と総称する。
【００３７】
先ず、図１に示すように遊戯する前の状態は、動物の各部位が全てベース側フェルト１２に取り付けられた状態となっている。
【００３８】
図１及び図２に示すように、各部位を用いて動物（本実施形態では象）の姿を完成させる場合には、例えば、第１胴体部１６と、前足に相当する四肢部４０と、後足に相当する四肢部４０と、頭部３４（いずれも図２の斜線部分に該当するもの）と、をベース側フェルト１２から取り外す。
【００３９】
ベース側フェルト１２から取り外した第１胴体部１６を曲げてその両端部をスライドファスナ２４で接続し、第１胴体部１６の曲げ状態を維持させる。これにより、動物（本実施形態では象）の胴体を形づくることができる。
【００４０】
また、その第１胴体部１６に対して、前足に相当する四肢部４０と、後足に相当する四肢部４０と、頭部３４と、をスナップボタン２０、３０、４２、ボタン２２、３１、４４でそれぞれ取り付ける。この各部位の取付けは、遊戯者の感性や趣味に合わせて自在を行うことができ、また、各部位の取り付け方によっては、実在しない動物の姿も完成させることができる。
【００４１】
以上のように、本実施形態の玩具１０によれば、単一の部位（例えば、第１胴体部１６）が曲げられ、スナップボタン２０、３０、４２やスライドファスナ２４、３２、４４によりその曲げ状態が維持されることにより、動物の身体の一部を容易に形づくることができる。また、複数の各部位（例えば、第１胴体部１６と頭部３４など）同士がスナップボタン２０、３０、４２、スライドファスナ２４、３２、４４、ボタン２２、３１、４４により接続されてその接続状態が維持されることにより、動物（象）の身体の各部位を形成することができる。このように、単一の各部位を曲げたり、あるいは複数の部位同士を接続させたりすることにより、動物（象）の姿を完成させるための表現方法のバリエーションを増加させることができる。この結果、玩具１０の遊戯性を格段に向上させることができる。
【００４２】
特に、単一の部位により動物の身体の一部が完成されるとともに、複数の部位がスナップボタン２０、３０、４２、スライドファスナ２４、３２、４４、ボタン２２、３１、４４により相互に接続されることにより動物の身体の一部が完成されることにより、動物の姿を完成させるための表現方法のバリエーションを容易に増加させることができる。
【００４３】
また、各部位をベース側フェルト１２に取り付けるためのスナップボタン（図示省略）を、各部位の曲げ状態を維持しあるいは各部位同士を接続させるために用いることにより、各部位をベース側フェルト１２に取り付けるためのスナップボタン（図示省略）を他の用途にも有効に利用することができ、玩具１０の部品点数を削減することができる。
【００４４】
また、複数の各部位の色がそれぞれ異なることにより、色のバリエーションを増やすことができるため、玩具１０の遊戯性を大幅に向上させることができる。
【００４５】
特に、各部位がフェルトで構成されていることにより、容易に曲げることができる。これにより、各部位を自在に所定の形状となるように曲げることができ、また、フェルトで構成されていることにより質感や手で触れた感触も向上する。さらに、玩具１０の製造コストを低減させることができる。
【００４６】
また、玩具の不使用時（非遊戯時）には、各部位をスナップボタンにより布状のベース側フェルト１２に取り付けることにより、各部位を紛失してしまうことを防止できる。また、各部位及びベース側フェルト１２の双方をフェルトで構成することにより、ベース側フェルト１２に各部位が取り付けられた状態でコンパクトに折り畳んだり、丸めたりすることができるため、玩具１０の収納スペースを小さくすることができる。
【００４７】
特に、各部位全てをベース側フェルト１２に取り付けると、各部位全てがベース側フェルト１２上に略隙間無く配列される。これにより、各部位全てをベース側フェルト１２に取り付けた状態で、各部位がベース側フェルト１２の端部からはみ出ることがないため、収納性を向上させることができるとともに、意匠性も向上させることができる。
【図面の簡単な説明】
【００４８】
【図１】本発明の一実施形態に係る玩具を構成する布状部材がベース部材に取り付けられた状態を示す平面図である。
【図２】本発明の一実施形態に係る玩具を構成する一部の布状部材がベース部材から取り外された状態を示す平面図である。
【図３】本発明の一実施形態に係る玩具を構成する布状部材を用いて完成させた動物の正面図である。
【図４】本発明の一実施形態に係る玩具を構成する布状部材を用いて完成させた動物の一側面図である。
【図５】本発明の一実施形態に係る玩具を構成する布状部材を用いて完成させた動物の一側面図である。
【符号の説明】
【００４９】
１０      玩具
１２      ベース側フェルト（ベース部材）
１４      象（動物）
１６      第１胴体部（布状部材）
１８      スナップボタン（保持部材）
２０      スナップボタン（固定部材、連結部材）
２４      スライドファスナ（固定部材、連結部材）
２６      面ファスナ（固定部材、連結部材）
２８      第２胴体部（布状部材）
３０      スナップボタン（固定部材、連結部材）
３２      スライドファスナ（固定部材、連結部材）
３４      頭部（布状部材）
４０      四肢部（布状部材）
４２      スナップボタン（固定部材、連結部材）
４６      スライドファスナ（固定部材、連結部材）
４８      面ファスナ（固定部材、連結部材）
【図１】
2007135798.tif 000003
【図２】
2007135798.tif 000004
【図３】
2007135798.tif 000005
【図４】
2007135798.tif 000006
【図５】
2007135798.tif 000007